(57)【特許請求の範囲】
【請求項１】
ゲーム機の前扉の内側の自由端側に施錠装置が取り付けられ、該施錠装置は、縦長の基枠体の上部と下部に鉤部材が傾動可能に枢支され、上下の鉤部材が基枠体内に摺動可能に配設された連結杆により連結され、該基枠体の中間部に設けたシリンダ錠の操作に応じて連結杆を介して上下の鉤部材を傾動させて解錠するように構成され、ゲーム機のキャビネット側に取り付けられる受け金具に、該鉤部材が施錠時に係止される施錠装置の受け金具において、
施錠装置の基枠体の長さより長く、該キャビネットの縦の内のりと略同一の長さに連続して縦長に形成された帯本体と、
前記鉤部材が係止可能に該帯本体の所定箇所に突設された係止部と、
を備え、該帯本体は、該キャビネットの内側前縁部における該施錠装置との対向位置に縦に固定され、該帯本体が該キャビネットに固定された際、該キャビネットの前面の該前扉との突き合わせ面より前方に突出し、且つ該前扉を閉じた際に該施錠装置に対し壁を形成する縁部が、該帯本体の該前扉側の前部に連続して設けられ、該縁部は、該キャビネットの開口部側壁の前面内側角部を覆うように、その横断面が略Ｌ字状に曲折されていることを特徴とする施錠装置の受け金具。
【請求項２】
該縁部は、該キャビネットの開口部側壁の前面内側角部を覆うように、その横断面が前記略Ｌ字状に代えて略コ字状に曲折されていることを特徴とする請求項１記載の施錠装置の受け金具。
【発明の詳細な説明】
【０００１】
【発明の属する技術分野】
本発明は、パチスロ機等のゲーム機に使用される施錠装置の受け金具に関する。
【０００２】
【従来の技術】
例えば、パチンコホールで使用されるスロットマシン（パチスロ）は、通常、矩形箱形のキャビネットの前面に前扉が設けられ、側部に設けた蝶番を介して開閉可能とされ、前扉の自由端には縦に施錠装置が取り付けられる。そして、前扉の閉鎖時には、キャビネット側に取り付けた受け金具に施錠装置の鉤部材が係止され、施錠される。
【０００３】
【発明が解決しようとする課題】
しかし、前扉はキャビネットに対し密に閉鎖可能に形成されてはいるものの、蝶番の取り付け誤差や変形により、キャビネットに対し前扉を閉鎖し施錠した状態であっても、前扉の自由端側の縁部とキャビネット側の突き合わせ面に、隙間が生じることがある。
【０００４】
このため、前扉の自由端側の縁部とキャビネット側の突き合わせ面に、隙間が生じた場合、施錠装置が前扉の自由端側に取り付けられていることから、隙間から針金などを差し込み、施錠装置を不正に解錠され易いという問題があった。
【０００５】
本発明は、上記の点に鑑みてなされたもので、前扉の自由端側の隙間の内側に有効な壁を作り不正解錠を防止することができる施錠装置の受け金具を提供することを目的とする。
【０００６】
【課題を解決するための手段】
上記目的を達成するために、本発明の施錠装置の受け金具は、ゲーム機の前扉の内側の自由端側に施錠装置が取り付けられ、施錠装置は、縦長の基枠体の上部と下部に鉤部材が傾動可能に枢支され、上下の鉤部材が基枠体内に摺動可能に配設された連結杆により連結され、基枠体の中間部に設けたシリンダ錠の操作に応じて連結杆を介して上下の鉤部材を傾動させて解錠するように構成され、ゲーム機のキャビネット側に取り付けられる受け金具に、鉤部材が施錠時に係止される施錠装置の受け金具において、施錠装置の基枠体の長さより長く、キャビネットの縦の内のりと略同一の長さに連続して縦長に形成された帯本体と、鉤部材が係止可能に帯本体の所定箇所に突設された係止部と、を備え、帯本体は、キャビネットの内側前縁部における施錠装置との対向位置に縦に固定され、帯本体がキャビネットに固定された際、キャビネットの前面の前扉との突き合わせ面より前方に突出し、且つ前扉を閉じた際に施錠装置に対し壁を形成する縁部が、帯本体の前扉側の前部に連続して設けられ、縁部は、キャビネットの開口部側壁の前面内側角部を覆うように、その横断面が略Ｌ字状に曲折されていることを特徴とする。また、その縁部は、キャビネットの開口部側壁の前面内側角部を覆うように、その横断面を略Ｌ字状に代えて略コ字状に曲折して形成することもできる。
【０００７】
【作用】
このような構成の受け金具を取り付けたゲーム機のキャビネットに対しその前扉を閉じると、施錠装置の上下の鉤部材が、キャビネット側の受け金具の上下の係止部に当接しながら一旦回動し再びに戻るようにして施錠される。
【０００８】
施錠状態では、前扉の自由端側の縁部がキャビネットの縁部に当接して閉鎖状態となるが、何らかの理由により、その突き合わせ面に隙間が生じたとしても、その突き合わせ面の内側奥に、受け金具の帯本体の縁部が、施錠装置に対し壁となって位置する。このため、突き合わせ面の隙間から針金などを差し込んで、施錠装置の連結杆や鉤部材を動かそうとしても、受け金具の縁部の壁により阻まれ、不正解錠を未然に防止することができる。
【０００９】
また、縁部は横断面を略Ｌ字状或は略コ字状に曲折して形成されているから、受け金具自体の長手方向の曲げ強度を増強することができ、さらに、受け金具をキャビネットの側壁の内側縁に取り付ける際、縁部をキャビネット側壁の前面角部に沿って覆うように固定することができ、キャビネットの側壁の前面内側角部をその縁部で有効に補強することができる。
【００１０】
【発明の実施の形態】
以下、本発明の実施の形態を図面に基づいて説明する。図１は、内部を省略したパチスロのキャビネット１を開いた状態の斜視図を示している。キャビネット１の前面に前扉２が蝶番３を介して開閉自在に取り付けられ、前扉２の自由端側の内側に、縦長の施錠装置４が取り付けられる。
【００１１】
施錠装置４は、取付板と支持板を横断面Ｌ形に成形してなる基枠体９を有し、その支持板の上部と下部に、鉤部材５、６が傾動可能に枢支され、基枠体９内に摺動可能に配設した連結杆により上下の鉤部材５、６が連結される。シリンダ錠７が基枠体の中間部に筒体を介して取り付けられ、その錠軸の先端に取り付けたカム板を連結杆に連結させ、シリンダ錠７のキー操作によりカム板を回動させ、連結杆を介して上下の鉤部材５、６を下側に傾動させ、解錠する構造である。
【００１２】
シリンダ錠７の上面は前扉２の前面の露出し、前面側から操作される。また、支持板の上部には、閉鎖時に受け金具１０側のローラ受け１４にのって前扉２を支持する支持ローラ８が回転自在に軸支される。
【００１３】
一方、キャビネット１の内側前縁部における施錠装置４との対向位置には、受け金具１０が縦に固定される。受け金具１０は、図２に示すように、縦長の帯状金属板からなる帯本体１１の上部と中間部に、係止部１２、１３を断面Ｌ形に曲げて突設し形成される。帯本体１１には複数の取付孔が穿設され、帯本体１１をキャビネット１の内側部に取り付けた際、係止部１２、１３が正面を向くように形成される。
【００１４】
また、係止部１２の下側にローラ受け１４が取り付けられる。ローラ受け１４は、前部を斜め下方に曲げた水平板からなり、帯本体側から直角に曲折された曲折部上に乗り上げるように、例えばカシメにより帯本体１１に固定される。さらに、帯本体１１の前部には、縁部１１ａが縦に連続して設けられる。この縁部１１ａは横断面が略Ｌ字状に曲折して形成され、装着時、キャビネット１の側壁の前面角部を覆うように取り付けられ、且つ前扉との突き合わせ面より前方に突出して壁を形成する。受け金具１０の長さつまり帯本体１１の長さは、施錠装置の基枠体９より長く、キャビネット１の縦の内のりと略同じ長さに設定される。
【００１５】
このような受け金具１０は、図３のように、キャビネット１の開口前部の内側縁部に縦に固定される。受け金具１０をキャビネット１に固定する場合、その開口前部の前角部を縁部１１ａが覆うように帯本体１１をキャビネット１の側壁に当接させる。このとき、縁部１１ａの前部が前に突き出すように取り付けられる。そして、固定ねじ１５を帯本体１１の取付孔からキャビネット内にねじ込み、受け金具１０は固定される。
【００１６】
これにより、キャビネット１の開口前部における側壁前面の内側角部全体に、帯本体１１が配置され、また、その帯本体１１の縁部１１ａは、角部を覆うように装着されると共に、縁部１１ａの先端を所定の幅（例えば８mm）だけキャビネット１の前面より前方に突出して取り付けられる。施錠装置４は、ゲーム機の前扉２の内側に図１のように、鉤部材５、６を内側に突出して、縦に取り付けられる。
【００１７】
そして、上記のように受け金具１０を取り付けたキャビネット１に対し、施錠装置を取り付けた前扉２を閉じると、施錠装置４の上下の鉤部材５、６が、受け金具１０の係止部１２、１３に当接しながら下方に回動し、再び水平位置に戻るように動作して施錠状態となる。この閉鎖時には、支持ローラ８が受け金具１０のローラ受け１４にのって転動しながら施錠されるため、重量のある前扉２であって下がり易い場合でも、前扉２を最終段階で持ち上げながら、確実に施錠することができる。
【００１８】
また、施錠状態では、図４に示すように、前扉２の自由端側の縁部がキャビネット１の前面縁部に当接するが、その突き合わせ面に隙間が生じたとしても、その突き合わせ部の奥に、受け金具１０の帯本体１１の縁部１１ａが、施錠装置４に対し壁となって位置する。このため、突き合わせ部の隙間から針金などを差し込んで、施錠装置４の連結杆や鉤部材５、６を動かそうとしても、縁部１１ａの壁により阻まれ、不正解錠を未然に防止することができる。また、キャビネット１の開口部の縦辺全体にわたって固定される長尺の受け金具１０は、キャビネット１の開口部側壁の前面内側角部を覆うように取り付けられ、その部分を有効に補強することができる。
【００１９】
図５、図６は他の実施例を示し、この例の受け金具２０は、その帯本体２１の縁部２１ａがその横断面を略コ字状とするように曲折されている。受け金具２０は、上記と同様に、縦長の帯状金属板からなる帯本体２１の上部と中間部に、係止部２２、２３を断面Ｌ形に曲げて突設し形成される。帯本体２１には複数の取付孔が穿設され、帯本体２１をキャビネット１の内側部に取り付けた際、係止部２２、２３が正面を向くように形成される。
【００２０】
係止部２２の下側にはローラ受け２４が上記と同様に取り付けられる。さらに、帯本体２１の前部には、縁部２１ａが縦に連続して設けられる。この縁部２１ａは横断面が略コ字状に曲折して形成され、装着時、キャビネット１の側壁の前面内側角部を覆うように取り付けられ、且つ前扉との突き合わせ面より前方に突出する。帯本体２１はその長手方向に沿って断面コ字状の縁部２１ａが形成され、これにより、その長手方向の曲げ強度は大きく増強される。受け金具２０の長さつまり帯本体２１の長さは、施錠装置の基枠体９より長く、キャビネット１の縦の内のりと略同じ長さに設定される。
【００２１】
このような受け金具２０は、前扉２の閉鎖時、その突き合わせ面に隙間が生じたとしても、その突き合わせ部の奥に、受け金具２０の帯本体２１の縁部２１ａが、施錠装置４に対し壁となって位置する。このため、突き合わせ部の隙間から針金などを差し込んで、施錠装置４の連結杆や鉤部材５、６を動かそうとしても、縁部２１ａの壁により阻まれ、不正解錠を未然に防止することができる。また、キャビネット１の開口部の縦辺全体にわたって固定される長尺の受け金具２０は、キャビネット１の開口部の側壁の前面内側角部を覆うようにその縁部２１ａが固定されるため、その部分を有効に補強する。
【００２２】
【発明の効果】
以上説明したように、本発明によれば、受け金具の装着時、その帯本体の縁部が、施錠装置に対し壁となって位置するから、突き合わせ面の隙間から針金などを差し込んで、施錠装置の連結杆や鉤部材を動かそうとしても、受け金具の縁部の壁により阻まれ、不正解錠を未然に防止することができる。また、受け金具の縁部は横断面を略Ｌ字状或は略コ字状に曲折して形成されているから、受け金具自体の長手方向の曲げ強度を大きくすると共に、受け金具の縁部がキャビネット側壁の前面内側角部を覆って固定されるため、キャビネットの側壁の前面内側角部をその縁部で有効に補強することができる。
【図面の簡単な説明】
【図１】本発明の一実施形態を示すゲーム機のキャビネットを開いた状態の斜視図である。
【図２】（ａ）は受け金具の左側面図、（ｂ）は受け金具の正面図である。
【図３】前扉を閉鎖した状態の施錠装置と受け金具の左側面図である。
【図４】前扉を閉鎖して施錠する状態を示す断面図である。
【図５】他の実施例の受け金具の斜視図である。
【図６】他の実施例の前扉を閉鎖して施錠する状態を示す断面図である。
【符号の説明】
１−キャビネット
２−前扉
４−施錠装置
５、６−鉤部材
７−シリンダ錠
９−基枠体
１０−受け金具
１１−帯本体
１１ａ−縁部
１２、１３−係止部
【図１】
0003923215.tif 000002
【図２】
0003923215.tif 000003
【図３】
0003923215.tif 000004
【図４】
0003923215.tif 000005
【図５】
0003923215.tif 000006
【図６】
0003923215.tif 000007